(57)【要約】【課題】ペットと散歩中に、すれ違うペットやその飼い主と挨拶を交わしたいものであるが、なかなか気軽に言葉が出ないことが多い。【解決手段】ペットの首に付ける首輪と、飼い主が手に持つ取っ手と、首輪と取っ手とをつなぐ紐とでなるペット散歩具において、前記首輪にはスピーカが装着され、前記取っ手には音声再生装置と同装置を任意に操作するための手元スイッチとが装着され、前記紐には前記スピーカと前記音声再生装置とを結線する電線が敷設されてなるペット散歩具。【選択図】        図１
2004222587.tif 000002
【特許請求の範囲】
【請求項１】
ペットの首に付ける首輪と、飼い主が手に持つ取っ手と、首輪と取っ手とをつなぐ紐とでなるペット散歩具において、前記首輪にはスピーカが装着され、前記取っ手には音声再生装置と同装置を任意に操作するための手元スイッチとが装着され、前記紐には前記スピーカと前記音声再生装置とを結線する電線が敷設されてなるペット散歩具。
【発明の詳細な説明】
【０００１】
【発明が属する技術分野】
本発明は、ペット散歩具に関するものである。
【０００２】
【従来の技術】
首輪と紐と取っ手とで構成されたペット散歩具は公知公用である。
【０００３】
【発明が解決しようとする課題】
ペットを連れて散歩中に、すれ違うペット連れの飼い主と気軽に挨拶を交わしたいものであるが、気軽に言葉が出ないことが多い。
【０００４】
【課題を解決するための手段】
そこで、首輪と、飼い主が手に持つ取っ手と、両者をつなぐ紐とでなるペット散歩具において、首輪にはスピーカを、取っ手には音声再生装置とこれを操作する手元スイッチを、紐にはスピーカと音声再生装置とを結線する電線を、それぞれ設けた。
【０００５】
【発明の実施の形態】
図１に示すとおり、ペット散歩具の首輪１に対して、一例として首輪連結金具１０とスピーカ取り付け金具１５を介してスピーカ４を装着し、取っ手２には、再生部６と電源部９とでなる音声再生装置３１とこれを任意に操作するための手元スイッチ７を装着し、紐３には再生部とスピーカを結ぶ電線８を敷設し、電線８の一端を再生部６の出力側に、他端はスピーカ端子１６に接続する。
【０００６】
再生部６に予め録音されたメモリーから音声、音楽等の任意のチャンネルを手元スイッチ７によって選択する具体的な方法はいろいろあるが、一例を図３で説明する。手元スイッチ７を取っ手２の握り面に対して垂直に押して離すと音声などの再生が始まり、再度押して離せば停止し、もう一度押して離せば同じチャンネルの再生がもう一度最初から始まる。また、手元スイッチ７を取っ手２の握り面に平行に前へ押すと、押すたびにチャンネルが所定の順序で切り替わり、同じく平行に後ろへ引くと、引くたびに逆の順序で切り替わる。
【０００７】
ペットの散歩者は、上記のように手元スイッチ７を適宜操作することによって、行き交うペットや人に対して、「お早うございます」、「今晩は」などと、ペットの首輪部分のスピーカから、まるでペットがしゃべっているかのように面白く、しかも口の重い人でも気軽に挨拶することができる。
【０００８】
図４はワンチップＩＣメモリーに数種類の必要最小限度の言葉を録音し、音声を再生するもので、スイッチ操作が簡単になり、しかもチャンネルアクセスが迅速となり、タイミングよく音声再生ができ小型軽量化が図れる。
【０００９】
図５はマイクロホンと録音再生部を設え既録音のほかに臨機応変な音声を録音、再生するものである。
【００１０】
【実施例１】
図２は、本発明散歩具の１実施例の全体図であり通常の犬の散歩状況図である。犬の飼い主は他の散歩犬と飼い主に会った時、取っ手の手元スイッチ７を押し録音されているチャンネルから「こんにちは」等の挨拶言葉を再生させると相手方は「おやっ」と思い、にこにこしながらきっとオウム返しで「こんにちは」と言うのが普通である。そこで続けざまに手元スイッチ７を握り面に対して前に押すか又は後ろに引くことにより、他のチャンネルに録音されている別の受け言葉等を再生させる。押す回数により所定のチャンネル選択再生ができ挨拶を継続することができる。再生途中でも手元スイッチ７を垂直に時間的に短めに押せば、そのチャンネルを初めから再生し、再生終了後自動停止する。
【００１１】
図５に示すとおりマイクロホン１８を介し録音部で録音することにより人間の音声以外に音楽、動物とか鳥の鳴き声も録音可能であり使用方法は多様になる。
【００１２】
【実施例２】
図６に示す様にスピーカ４を首輪１と紐３に対して着脱可能な紐着脱金具１１の一端の紐連絡金具１２に取り付けることにより、紐とスピーカが一体なり紐からのむき出し線２８が短くなる。また製作上スピーカ線のコネクター２９が不要になる。小型のペットの胴体ベルトにも適応できる。
【００１３】
【実施例３】
図７は球状形、図８は円錐形の何れもペンダント風のカバーの中に挿入してなるスピーカで、ペットの装飾首飾りを兼ねたスピーカである。その他、平面形、丸形、長方形、三角形、ハート形等面白い。
【００１４】
【発明の効果】
ペットの散歩中に行き交うペットや人に対して、人間の挨拶言葉やペットの友好的な鳴き声等を、いかにもペットがしゃべっているように発生させることによって、なごやかな雰囲気を作ることができ、ペットの散歩が一層楽しくなる。
【図面の簡単な説明】
【図１】ペット散歩具の全体を示した説明図である。
【図２】ペット散歩具の実施方法を示した説明図である。（実施例１）
【図３】ペット散歩具の操作スイッチを示した説明図である。
【図４】ペット散歩具ワンチップＩＣメモリー簡易音声再生のブロック図である。
【図５】ペット散歩具のマイクロホンと録音再生部を備えたブロック図である。
【図６】ペット散歩具の紐の首輪側にスピーカを取り付けた説明図である。（実施例２）
【図７】ペット散歩具の実施方法を示した説明図である。（実施例３）
【図８】ペット散歩具の実施方法を示した説明図である。（実施例３）
【符号の説明】
１    首輪
２    取っ手
３    紐
４    スピーカ
５    メモリー部
６    再生部
７    手元スイッチ
８    電線
９    電源部
１０  首輪連結金具
１１  紐着脱金具
１２  紐連結金具
１６  スピーカ端子
１８  マイクロホン
１９  録音部
２０  録音再生部    ２８  むき出し電線
２９  スピーカコネクタ
３１  音声再生装置
４１  球状形ペンダントスピーカ
４２  円錐形ペンダントスピーカ
【図１】
2004222587.tif 000003
【図２】
2004222587.tif 000004
【図３】
2004222587.tif 000005
【図４】
2004222587.tif 000006
【図５】
2004222587.tif 000007
【図６】
2004222587.tif 000008
【図７】
2004222587.tif 000009
【図８】
2004222587.tif 000010
【手続補正書】
【提出日】平成15年4月14日(2003.4.14)
【手続補正１】
【補正対象書類名】明細書
【補正対象項目名】０００８
【補正方法】変更
【補正の内容】
【０００８】再生部６をワンチップＩＣメモリーに置き換え、必要最小限度のチャンネルと少数言葉に限定し、再生することにより、スイッチの操作手数が減少し、チャンネルアクセスが迅速となり、タイミングよく音声再生ができる。小型軽量化も図れる。


【手続補正２】
【補正対象書類名】明細書
【補正対象項目名】０００９
【補正方法】変更
【補正の内容】
【０００９】前項（０００８）とは逆に再生部６には録音部を備えることにより既録音のほかに臨機応変な音声を即時に録音、再生することができる。


【手続補正３】
【補正対象書類名】明細書
【補正対象項目名】００１２
【補正方法】変更
【補正の内容】
【００１２】
【実施例２】図６に示す様にスピーカ４を首輪１と紐３に対して着脱可能な紐着脱金具１１の一端の紐連絡金具１２に取り付けることにより、スピーカ線のコネクター２９が不要になる。紐とスピーカが一体となり、首輪系と紐系との着脱が簡単容易である。首輪以外に小型ペットの胴体ベルトにも適応できる。